(57)【要約】【課題】天井フレームの高さ位置の調節を作業容易に行うことができる天井フレームの高さ位置調節構造を提供する。【解決手段】吊り用下地２に吊り子３が連結され、この吊り子３に金物４が連結され、この金物４に下方に面して回転操作部３ａが設けられ、この回転操作部３ａを回転することにより金物４が吊り用下地２に対して昇降するようになされており、この金物４に天井フレーム６が回転操作部３ａの下方に張り出さない態様で接合されている。【選択図】　　　図１
2004019234.tif 000002
【特許請求の範囲】
【請求項１】
吊り用下地に吊り子が連結され、この吊り子に金物が連結され、この金物に下方に面して回転操作部が設けられ、この回転操作部を回転することにより金物が吊り用下地に対して昇降するようになされており、この金物に天井フレームが回転操作部の下方に張り出さない態様で接合されていることを特徴とする天井フレームの高さ位置調節構造。
【請求項２】
前記天井フレームが、天井面材を予め一体的に備えた天井パネルのパネルフレームからなり、この天井パネルのパネルフレームが、天井面材とパネルフレームとを前記回転操作部の下方に張り出させない態様で、前記金物に接合されている請求項１に記載の天井フレームの高さ位置調節構造。
【発明の詳細な説明】
【０００１】
【発明の属する技術分野】
本発明は、天井フレームの高さ位置調節構造に関する。
【０００２】
【従来の技術】
天井の施工において、小屋組の梁やコンクリートスラブなどの吊り用下地に吊り子を介して天井フレームを吊下げ状態にすることが行われるが、この吊下げ状態において、天井フレームに傾きがあったり、高さ位置が適正なものでなかったりすることがあることから、ネジ機構による回転操作部が備えられ、この回転操作部を回転することで天井フレームの高さ位置を高低調節することができるようになっている。
【０００３】
【発明が解決しようとする課題】
しかしながら、上記のような従来の天井構造では、回転操作部の下方に天井フレームが存在し、そのため、天井フレームを回避するようにして回転操作部にアクセスし回転させなければならず、天井フレームの高さ位置の調節作業が厄介で手間を要するという問題があった。
【０００４】
本発明は、上記のような従来の問題点に鑑み、天井フレームの高さ位置の調節を作業容易に行うことができる天井フレームの高さ位置調節構造を提供することを課題とする。
【０００５】
【課題を解決するための手段】
上記の課題は、吊り用下地に吊り子が連結され、この吊り子に金物が連結され、この金物に下方に面して回転操作部が設けられ、この回転操作部を回転することにより金物が吊り用下地に対して昇降するようになされており、この金物に天井フレームが回転操作部の下方に張り出さない態様で接合されていることを特徴とする天井フレームの高さ位置調節構造によって解決される。
【０００６】
この構造では、回転操作部が下方に面して備えられ、しかも、天井フレームは回転操作部の下方に張り出さない態様で金物に接合されているから、天井下の室から回転操作部に容易にアクセスして回転操作部を回転させることができ、天井フレームの高さ位置の調節を作業容易に行うことができる。
【０００７】
上記の構造において、天井フレームが、天井面材を予め一体的に備えた天井パネルのパネルフレームからなり、この天井パネルのパネルフレームが、天井面材とパネルフレームとを回転操作部の下方に張り出させない態様で、金物に接合されているのもよい。
【０００８】
この場合は、天井フレームと天井面材とが一体化された天井パネルを用いて天井の施工を能率良く行っていくことができ、しかも、天井パネルのパネルフレームは、天井面材とパネルフレームとを回転操作部の下方に張り出させない態様で、金物に接合されているので、天井下の室から回転操作部に容易にアクセスして回転操作部を回転させることができ、天井フレームの高さ位置の調節を作業容易に行うことができる。
【０００９】
【発明の実施の形態】
次に、本発明の実施形態を図面に基づいて説明する。
【００１０】
図１は、住宅用等の建物のトラス形小屋組の下に備えられる天井に適用した場合の実施形態で、１は天井パネル、２は吊り用下地としての小屋組の梁であり、３は吊り子、４は金物、３ａは回転操作部である。
【００１１】
天井パネル１は、石膏ボード等の天井面材５の上面に天井フレーム６を予め一体的に取り付けたものであり、天井フレーム６は、野縁に相当する下フレーム材６ａと、野縁受けに相当する上フレーム材６ｂとで構成され、上フレーム材６ｂは横向き開放のリップ付き溝形材からなっている。
【００１２】
吊り子３は、頭付きボルトからなっていて、頭部３ａは六角穴等の異形穴を備えて回転操作部を構成し、頭部３ａを下向きにし、雄ネジ部３ｂを上向きにし、小屋組の梁２に固着されたナット７に雄ネジ部３ｂを進退可能な螺合状態にすることで小屋組の梁２と連結されている。
【００１３】
金物４は、下向き開放のリップ付き溝形ピース材からなっていて、天板部４ａの中央部を上記の吊り子３が下から貫通し、吊り子３の頭部３ａが下方に面するようにして天板部４ａをその下面側から支えて吊り子３に連結されている。
【００１４】
そして、天井パネル１は、その上フレーム材６ｂの側板部６ｃが金物４の側板部４ｂに沿わされ、これら側板部６ｃ，４ｂ同士がボルト８で接合されることで金物４と連結され、上フレーム材６ｂはもとより、下フレーム材６ａも天井面材５も、吊り子３の頭部３ａの下方に張り出さないようになっている。
【００１５】
本実施形態では、天井パネル１を、屋内側からではなく、図２（イ）（ロ）に示すように屋外側からクレーンなどに吊って小屋組部分を通じて施工する構造となっており、そのため、金物４はその幅寸法が小屋組の梁２の幅寸法よりも大きく設計され、天井パネル１はその下フレーム材６ａと天井面材５とが上フレーム材６ｂよりも外方に張り出さないように設計されている。
【００１６】
こうして天井パネル１が取り付けられた後、天井フレーム６の高さ位置の調節を行う。即ち、図１（ロ）に示すように、吊り子３の頭部３ａは、天井下の室９内に面して露出しているから、室９内から工具１０の先端を吊り子３の頭部３ａの異形穴に差し込み、工具１０を回して吊り子３を回転させる。すると、吊り子３がネジ機構３ｂ，７によって昇降し、それに伴って金物４と天井パネル１とが一体となって昇降し、天井フレーム６の高さ位置が高低調節される。この調節を終えた後、図３に示すように、隣り合う天井パネル１，１間を現場貼り天井面材１１で塞いで仕上げる。
【００１７】
このように、上記の実施形態では、回転操作部である吊り子３の頭部３ａが下方の室９内に面して備えられ、しかも、天井フレーム６も天井面材５も回転操作部３ａの下方に張り出さない態様で金物４に接合されているから、天井下の室９から回転操作部３ａに容易にアクセスして回転操作部３ａを回転させることができ、天井フレーム６の高さ位置の調節を作業容易に行うことができる。
【００１８】
なお、図１乃至図３は、隣り合う天井パネル間における高さ位置調節構造を示したが、建物の壁と天井フレームとの間においては、図４及び図５に示すように、例えば切妻用軒桁１２から屋内側に天井吊り用下地としての片持ち梁１３が突設され、この片持ち梁１３に上記と同様の吊り子３が螺合され、この吊り子３に下向き開放の金物１４が連結されている。そして、天井パネル１の施工は、図５（イ）に示すように、屋外側から小屋組を通じて行える構造となっていて、この金物１４の側板１４ｂに天井パネル１の上フレーム材６ｂの側板部６ｃがボルトで接合されて取り付けられ、図４（イ）（ロ）に示すように、天井フレーム６の高さ位置の調節は、上記の場合と同様に、天井下方の室９内から行えるようになっている。高さ位置の調節後は、図５（ロ）に示すように、現場貼り天井面材１１を付けて仕上げる。
【００１９】
以上に、本発明の実施形態を示したが、本発明はこれに限られるものではなく、発明思想を逸脱しない範囲で、各種の変更が可能である。例えば、上記の実施形態では、天井フレーム６と天井面材５とを一体化した天井パネル１を用いて屋外側から小屋組を通じて施工する場合の天井フレーム６の高さ位置調節構造について示しているが、このような天井パネル１を屋内側から施工する場合の天井フレームの高さ位置調節構造として用いられてもよいし、天井面材が一体化されていない天井フレームをまず施工し、その高さ位置の調節を行い、しかる後、天井面材の施工をする場合の高さ位置調節構造として用いられてもよい。後者の場合は、天井面材の取付けの際に天井フレームに浮き上がりを生じないよう、吊り子にナットを備えさせ、高さ位置の調節後に、金物を吊り子の頭部とナットとで上下方向から挟み込み状態に固定するなどの方法が取られるのもよい。また、上記の実施形態では、吊り用下地として、小屋組トラスの梁２や切妻用の軒桁１２に突設した片持ち梁１３を用いた場合を示したが、吊り用下地はコンクリートスラブなどであってもよい。また、金物の形態や吊り子の形態、回転操作部の形態についても各種のものが採用されてよい。
【００２０】
【発明の効果】
本発明は、以上のとおりのものであるから、天井フレームの高さ位置の調節を作業容易に行うことができる。
【図面の簡単な説明】
【図１】天井パネル間における実施形態の高さ位置調節構造を示すもので、図（イ）は断面正面図、図（ロ）は高さ位置調節方法を示す断面側面図である。
【図２】図（イ）（ロ）は天井パネルの施工方法を順次に示す断面正面図である。
【図３】高さ位置調節後のパネル間の天井仕上げ方法を示す断面正面図である。
【図４】天井パネルと壁との間における実施形態の高さ位置調節構造を示すもので、図（イ）は断面正面図、図（ロ）は高さ位置調節方法を示す断面側面図である。
【図５】図（イ）は天井パネルの施工方法を示す断面正面図、図（ロ）は高さ位置調節後の天井パネルと壁との間の天井仕上げ方法を示す断面正面図である。
【符号の説明】
１…天井パネル
２…小屋組の梁（吊り用下地）
３…吊り子
３ａ…頭部（回転操作部）
４…金物
５…天井面材
６…天井フレーム
９…室
１３…片持ち梁（吊り用下地）
１４…金物
【図１】
2004019234.tif 000003
【図２】
2004019234.tif 000004
【図３】
2004019234.tif 000005
【図４】
2004019234.tif 000006
【図５】
2004019234.tif 000007